(57)【特許請求の範囲】
【請求項１】
複数のホスト装置と接続可能な画像処理装置において、
前記ホスト装置から受信した画像データに基づく画像を形成する画像形成部と、
前記画像形成部を含む電源系統に電力を供給する電力供給部と、
前記電力供給部から前記電源系統への給電を制御する給電制御部と、
受信した前記画像データに基づいて、当該画像データを送信したホスト装置を識別するための情報を含む印刷ログを記憶する記憶部と、
前記記憶部に記憶された印刷ログに基づいて、前記複数のホスト装置毎の所定期間内の過去の使用回数、画像データのドットカウント数、又は印刷枚数の何れかで示される印字量を算出する算出部と、
前記画像処理部におけるエラーの発生を検出するエラー検出部と、
エラー種別毎にエラーからの復旧容易性を記憶するエラー復旧容易性記憶部と、
前記エラー検出部によってエラーが検出された際に、前記エラー復旧容易性記憶部に記憶されたエラー種別毎の復旧容易性に基づいて、前記算出部により算出された前記印字量が一定の量以上である特定のホスト装置のみにエラー発生信号を送信するか、又は、前記複数のホスト装置のうちの全てのホスト装置にエラー発生信号を送信するか、を決定する動作状況監視部と、
前記動作状況監視部による決定に基づく前記特定のホスト装置へのエラー発生信号の送信後、エラーが復旧されない場合に、前記特定のホスト装置に応答要求信号を送信する信号送信部と、
前記信号送信部により前記特定のホスト装置に前記応答要求信号が送信されてからの経過時間を計測する送信タイマとを備え、
前記給電制御部は、前記送信タイマにより計測された経過時間に基づいて前記特定のホスト装置から所定の時間経過後に前記応答要求信号に対する応答がないと判断した場合、又は前記動作状況監視部による決定に基づく前記複数のホスト装置のうちの全てのホスト装置へのエラー発生信号の送信後、前記電力供給部から前記電源系統への給電を停止すること
を特徴とする画像処理装置。
【請求項２】
前記給電制御部から前記画像処理部への給電が停止してパワーセーブモードに移行してからの経過時間を計測する給電タイマを備え、
前記信号送信部は、前記給電タイマにより計測された経過時間が所定の時間を超えた場合に前記特定のホスト装置に応答要求信号を送信すること
を特徴とする請求項１記載の画像処理装置。
【請求項３】
ユーザにより予め設定された業務時間を記録する業務時間記憶部と、
現在の時刻を管理する時計部とを備え、
前記信号送信部は、前記給電タイマにより計測された経過時間が所定の時間を超えたとき、前記時計部に管理されている現在の時刻が、前記業務時間記憶部に記憶された業務時間内にない場合は、前記特定のホスト装置に対して前記応答要求信号を送信し、前記業務時間内にある場合に、前記複数のホスト装置のうちの全てのホスト装置に対して前記応答要求信号を送信すること
を特徴とする請求項２記載の画像処理装置。
【発明の詳細な説明】
【技術分野】
【０００１】
本発明は、画像処理装置に関する。
【背景技術】
【０００２】
従来から、プリンタ等の画像処理装置において、ホスト装置から所定の期間印刷要求がない場合に、自動的に電源をオフさせる発明が知られている。この様な発明としては、特許文献１に記載されたものがある。
【０００３】
【特許文献１】特開平８−２５７５７公報
【０００４】
具体的には、この特許文献１には、ネットワークを介して接続された全てのホスト装置に対して応答要求を送信し、所定期間応答がない場合に電源をオフするプリンタ装置が記載されている。そして、かかるプリンタ装置によれば、ユーザが電源をオフすることを忘れてしまった場合等においても、確実に省エネルギー化を図ることができることとしている。
【発明の開示】
【発明が解決しようとする課題】
【０００５】
しかしながら、上述のプリンタ装置によれば、ネットワークを介して接続された全てのホスト装置に応答要求を送信することとしている為、ホスト装置が立ち上がっている状態にあれば、実際に当該ホスト装置が使用されているか否かに関わらず必然的に応答要求が返信されてしまうこととなる。そして実際には該ホスト装置が使用されていなかった場合においても、プリンタ装置は、当該応答要求に対する返信を行ったホスト装置が使用されていると判断してしまい、電源をオフすることができない。そして従来用いられていた技術では、この様な場合において省エネルギー化を図ることが出来ないという問題があった。
【０００６】
そこで、本発明はこの様な実情に鑑みてなされたものであり、ホスト装置の使用状況に応じて電源をオフすることで省エネルギー化を図ることができる画像処理装置を提供することを目的とする。
【課題を解決するための手段】
【０００７】
上記課題を解決する為に、本発明にかかる画像処理装置は、複数のホスト装置と接続可能な画像処理装置において、前記ホスト装置から受信した画像データに基づく画像を形成する画像形成部と、前記画像形成部を含む電源系統に電力を供給する電力供給部と、前記電力供給部から前記電源系統への給電を制御する給電制御部と、受信した前記画像データに基づいて、当該画像データを送信したホスト装置を識別するための情報を含む印刷ログを記憶する記憶部と、前記記憶部に記憶された印刷ログに基づいて、前記複数のホスト装置毎の所定期間内の過去の使用回数、画像データのドットカウント数、又は印刷枚数の何れかで示される印字量を算出する算出部と、前記画像処理部におけるエラーの発生を検出するエラー検出部と、エラー種別毎にエラーからの復旧容易性を記憶するエラー復旧容易性記憶部と、前記エラー検出部によってエラーが検出された際に、前記エラー復旧容易性記憶部に記憶されたエラー種別毎の復旧容易性に基づいて、前記算出部により算出された前記印字量が一定の量以上である特定のホスト装置のみにエラー発生信号を送信するか、又は、前記複数のホスト装置のうちの全てのホスト装置にエラー発生信号を送信するか、を決定する動作状況監視部と、前記動作状況監視部による決定に基づく前記特定のホスト装置へのエラー発生信号の送信後、エラーが復旧されない場合に、前記特定のホスト装置に応答要求信号を送信する信号送信部と、前記信号送信部により前記特定のホスト装置に前記応答要求信号が送信されてからの経過時間を計測する送信タイマとを備え、前記給電制御部は、前記送信タイマにより計測された経過時間に基づいて前記特定のホスト装置から所定の時間経過後に前記応答要求信号に対する応答がないと判断した場合、又は前記動作状況監視部による決定に基づく前記複数のホスト装置のうちの全てのホスト装置へのエラー発生信号の送信後、前記電力供給部から前記電源系統への給電を停止することを特徴とするを特徴としている。
【０００８】
この構成によれば、画像処理装置は、エラー復旧容易性記憶部に記憶されたエラー種別毎の復旧容易性に基づき、エラー発生信号の送信先を特定のホスト装置、又は複数のホスト装置のうちの全てのホスト装置のどちらかに決定することができる。そして、画像処理装置は、特定のホスト装置に対してエラー発生信号を送信してもなお、エラーが復旧されない場合、応答要求を送信する。そして、給電制御部は、応答要求を送信した特定のホスト装置から応答がない場合に、電力供給部から画像処理部への給電を停止させる。
【発明の効果】
【０００９】
この様に本発明にかかる画像処理装置によれば、ホスト装置の使用状況に応じて電源をオフすることで省エネルギー化を図ることができる。
【発明を実施するための最良の形態】
【００１０】
以下、本発明を適用した具体的な実施の形態について図面を参照しながら詳細に説明する。
【００１１】
図１に示す様に、画像処理装置としての印刷装置１は、ＬＡＮ（Local Area Network）３を介して複数のホスト装置５Ａ，５Ｂ，５Ｃ，５Ｄと接続される。そして印刷装置１は、各ホスト装置５Ａ，５Ｂ，５Ｃ，５Ｄから送信された画像データに基づく画像を印刷してユーザに提供する。尚、以下では何れのホスト装置であるかを区別しない場合には、「ホスト装置５Ａ，５Ｂ，５Ｃ，５Ｄ」を、「ホスト装置５」と総称して詳細な説明を行う。
【００１２】
印刷装置１は、図２に示す様に、ホスト装置５から受信した画像データを処理する画像処理部としての印刷部７と、印刷部に電力を供給する電力供給部９とを備える。そして印刷部７は、電力供給部９から供給された電力に基づいて、画像データに基づく画像を印刷する。
【００１３】
印刷部７は、ＬＡＮ３を介してホスト装置５との間で各種情報を送受信するインターフェース部１３と、受信した画像データを解析してドットデータを作成する画像処理部１５と、ドットデータに基づいて、用紙上にドットデータに基づく画像を印刷するプリントエンジン１７を制御するエンジン制御部１９とを備える。この様な印刷部７は、インターフェース部１３において受信した画像データを画像処理部１５に供給する。そして画像処理部１５は、供給された画像データを解析してドットデータを作成し、エンジン制御部１９に供給する。そして、エンジン制御部１９は、ドットデータに基づいて、プリントエンジン１７を構成する露光手段、現像手段、転写手段、定着手段等を制御する。そして、プリントエンジン１７は、エンジン制御部１９による制御のもと、ドットデータに応じた画像を用紙等の記録媒体上に形成し、ユーザに提供する。
【００１４】
インターフェース部１３は、ホスト装置５から送信された画像データを受信する画像データ受信部２１と、特定のホスト装置５に対して応答要求を送信する応答要求送受信部２３とを備える。そして画像データ受信部２１は、ホスト装置５から送信された画像データを受信し、さらに受信した画像データを画像処理部１５に供給する。そして画像データ受信部２１において画像データを受信した場合、かかる記録は印刷ログとして記憶部２５に記憶される。また、応答要求送受信部２３は、記憶部２５に記憶された所定の情報を参照し、特定のホスト装置５に応答要求を送信する。また応答要求送受信部２３は、ホスト装置５からの返信を受信する。
【００１５】
記憶部２５は、各種情報を記憶する。具体的には記憶部２５は、複数の領域により構成され、印刷ログを記憶する印刷ログ記憶部２７と、ホスト装置５毎の使用量を記憶するホスト情報記憶部２９と、ユーザにより設定された、ユーザの業務時間に対応する印刷装置１の稼動時間を記憶するスケジュール記憶部３１とを備える。印刷ログ記憶部２７は、図３に示す様に、ホスト装置名と、該ホスト装置のＩＰ（Internet Protocol）アドレスと、画像データのファイル名と、受信時刻とが関連付けられた印刷ログを記憶する。そしてこの様な印刷ログは、画像データ受信部２１において画像データを受信する度に更新される。また、ホスト情報記憶部２９は、図４に示す様なホスト装置５毎の使用量を記憶する。この様なテーブルは、使用量算出部３３が印刷ログ記憶部２７に記憶された印刷ログを読み出し、ホスト装置毎に印刷装置１全体の使用量を算出することで作成される。また、スケジュール記憶部３１は、図５に示す様に、予めユーザが設定した、印刷装置１の稼動時間を記憶する。
【００１６】
また、印刷部７は、インターフェース部１３及びプリントエンジン１７の動作状況を監視する動作状況監視部３５を備える。動作状況監視部３５は、インターフェース部１３における印刷データの受信及び応答要求の有無、並びにエラーの発生を監視する。そして、動作状況監視部３５は、応答要求送受信部２３がホスト装置５に対して応答要求を送信した際にタイマ３７をスタートさせる。そして、動作状況監視部３５は、応答要求送受信部２３における応答要求に対する返信の有無を監視し、一定時間返信が無い場合には、電力供給部９から、印刷装置１を駆動する為の電源系統への給電を制御する電源制御部３９に対して、給電停止の指令を供給する。このとき、返信の有無の判断基準となる時間は、予めユーザにより決定され、記憶された時間である。そしてかかる時間は、書き換え可能に設定される。
【００１７】
以下、印刷装置１の動作について図６乃至図８を詳細な説明を行う。
【００１８】
印刷装置１の電源が投入され一連の処理が開始すると、ステップＳ１において印刷装置１は、画像データを受信したか否かを判断する。そして、画像データを受信したと判断した場合には、ステップＳ２において印刷装置１は、受信した画像データを印刷して、再度ステップＳ１の処理を実行する。
【００１９】
一方、ステップＳ１において画像データを受信していないと判断した場合、ステップＳ３において印刷装置１は、タイマ３７をスタートさせる。かかる処理は、動作状況監視部３５が、画像データ受信部２１における画像データの受信状況を監視し、かかる監視結果に応じてタイマ３７をスタートさせることで実行する。
【００２０】
次に、ステップＳ４において印刷装置１は、画像データを受信したか否かを再度判断する。そして、画像データを受信したと判断した場合には、使用中のホスト装置５がネットワーク上に存在するとして、ステップＳ５においてタイマ３７をリセットした後、ステップＳ２の処理を実行する。
【００２１】
一方、ステップＳ４において画像データを受信していないと判断した場合、ステップＳ６において印刷装置１は、タイマ３７をスタートさせて一定の時間が経過したか否かを判断する。このとき判断の基準となる時間は、ユーザによって印刷装置１をパワーセーブモードに移行させる為に予め設定された時間である。そして、一定の時間が経過していないと判断した場合には、印刷装置１は、再度ステップＳ４の処理を実行して、画像データの待ち受け状態を維持する。
【００２２】
一方、ステップＳ６においてタイマ３７をスタートさせてから一定の時間が経過したと判断した場合には、ステップＳ７において印刷装置１は、電力供給部９から比較的消費電力の多いプリントエンジン１７への給電を停止させることでパワーセーブモードに移行する。このとき、電力供給部９は、例えば定着手段の温度を低下させることでプリントエンジン１７の消費電力を抑制する。そしてかかる処理は、動作状況監視部３５が、タイマ３７により計測されている経過時間が一定の時間を経過したと判断した後に、電源制御部３９へパワーセーブモードに移行すべき旨の指令を供給することで実行される。そして、指令が供給された電源制御部３９は、電力供給部９から各部に供給される電力を低下させる。これにより、電力供給部９は、消費電力が比較的多いプリントエンジン１７への給電を停止させ、印刷装置１全体の消費電力を低下させる。
【００２３】
次に、ステップＳ８において印刷装置１は、タイマ３７をリセットする。そして、ステップＳ９において印刷装置１は、再度タイマ３７をスタートさせる。これにより印刷装置１は、パワーセーブモードに移行してからの経過時間をカウントする。
【００２４】
そして、ステップＳ１０において印刷装置１は、画像データを受信したか否かを判断する。そして、画像データを受信したと判断した場合には、印刷装置１は、パワーセーブモードから通常の待ち受け状態に移行し、ステップＳ５においてタイマ３７をリセットした後、ステップＳ２において印刷を行う。
【００２５】
一方、ステップＳ１０において画像データを受信していないと判断した場合には、ステップＳ１１において印刷装置１は、一定の時間が経過したか否かを判断する。このとき判断の対象となる時間も同様に、パワーセーブモードから電源オフ状態に移行させる為にユーザが予め設定した時間である。そして、一定の時間が経過していないと判断した場合には、印刷装置１は、再度ステップＳ１０の処理を実行する。一方、一定の時間が経過したと判断した場合には、印刷装置１は、ステップＳ１２以降の処理を行い、電力供給部９からプリントエンジン１７を含む全ての電源系統への給電を停止することで、印刷装置１の電源をオフさせる。
【００２６】
ステップＳ１２において印刷装置１は、現在が業務時間内であるか否かを判断する。かかる処理は、動作状況監視部３５が、スケジュール記憶部３１に記憶された印刷装置１の稼動時間を参照した上で、例えばＳＮＴＰサーバ等から取得した現時刻、曜日等と比較することで実行される。そして、現在が業務時間内でないと判断した場合には、ステップＳ１３において印刷装置１は、特定のホスト装置５に応答要求を送信する。このとき応答要求の送信対象となる特定のホスト装置５は、例えばホスト情報記憶部２９に記憶されたホスト装置のうち、使用量が一定値以上となっているホスト装置である。このとき印刷装置１は、例えば当日、過去２週間、１ヶ月間等における印刷装置１の使用回数、又はドットデータのドット数、印刷枚数等からなる印字量に基づいて、使用量を算出する。そしてかかる処理は、応答要求送受信部２３が、ホスト情報記憶部２９に記憶されたデータを参照して、例えば使用量が３０％以上となっているホスト装置５に対して応答要求を送信することで実行される。この様に使用量が高いホスト装置のみに対して応答要求を送信することで、例えば普段あまり印刷装置１を使用しないユーザがホスト装置の電源をオフし忘れた場合等においても、印刷装置１は、確実に自身の電源をオフすることができる。また、反対に使用量が高いホスト装置に対して応答要求を送信することで、例えば印刷装置１の使用量が高いユーザが印刷装置１を使用する際に、印刷装置１の電源がオフとなってしまうことを防止することができる。
【００２７】
次に、ステップＳ１４において印刷装置１は、特定のホスト装置５から返信があったか否かを判断する。かかる処理は、動作状況監視部３５が、タイマ３７をスタートさせた上でタイマ３７の経過時間を参照しながら応答要求送受信部２３における応答要求に対する返信の有無を監視することで実行される。そして何れかのホスト装置５から応答要求に対する返信があったと判断した場合には、印刷装置１は、再度ステップＳ８以降の処理を実行する。一方、応答要求に対する返信がないと判断した場合には、現在、特定のホスト装置５を使用しているユーザがいないとして、ステップＳ１５において印刷装置１は、電源をオフする。かかる処理は、電源制御部３９が、電力供給部９からプリントエンジン１７を含めた全ての電源系統に供給される電力を停止させることで実行される。
【００２８】
また、ステップＳ１２において、現在が業務時間内であると判断した場合には、ステップＳ１６において印刷装置１は、全てのホスト装置５に対して返信要求を送信する。そして、ステップＳ１７において印刷装置１は、応答要求に対する返信があったか否かを判断する。そして何れかのホスト装置５から返信があった場合には、ホスト装置５を使用しているユーザがいるとして、印刷装置１は、再度ステップＳ８以降の処理を繰り返す。
【００２９】
一方、ステップＳ１４において返信要求に対する応答がないと判断した場合には、ステップＳ１８において印刷装置１は、応答要求を送信してから一定の時間が経過したか否かを判断する。そして、一定の時間が経過していないと判断した場合には、印刷装置１は、再度ステップＳ１７の処理を実行する。
【００３０】
その後、一定の時間が経過したと判断した場合には、ステップＳ１９において印刷装置１は、電源をオフし、一連の処理を終了する。
【００３１】
この様に印刷装置１は、業務時間内においては、複数のユーザが印刷を行うものとして、パワーセーブモードに移行した後に、全てのホスト装置５に対して応答要求を送信する。一方で、業務時間内でない場合には、使用量の多いホスト装置５に対してのみ応答要求を行う。これにより、印刷装置１は、例えば使用量の少ないユーザがホスト装置５の電源をオフせずにホスト装置から離れてしまった場合等においても、確実に電源をオフすることができる。
【００３２】
次に、本発明の第２の実施の形態について詳細な説明を行う。尚、第２の実施の形態にかかる印刷装置は、上述した印刷装置１と同一の構成を有する箇所がある為、該箇所については詳細な説明を省略し、差異のある箇所についてのみ詳細な説明を行う。
【００３３】
図９に示す様に、第２の実施の形態にかかる印刷装置１０１の記憶部１０３は、上記記憶部２５の構成に加え、発生したエラーの復旧の容易性の一覧を記憶するエラー一覧記憶部１０５と、ホスト装置５から受信した画像データを記憶する画像データ記憶部１０７と、発生したエラーの内容を記憶するエラー情報記憶部１０９とを備える。
【００３４】
エラー一覧記憶部１０５は、図１０に示す様に、プリントエンジン１７において発生し得るエラーと、その復旧の容易度を対応させて記憶する。この様なエラー一覧は、ユーザによって予め設定され、エラー一覧記憶部１０５に書き込まれる。そして、エラー一覧においては、例えば紙詰まりや用紙切れ等、比較的容易に復旧することができるエラーについては、復旧容易性として「易」が設定され、トナーエンドや装置破損等、復旧に一定の手間を要するエラーについては、復旧容易性として「難」が設定される。
【００３５】
エラー情報記憶部１０９は、プリントエンジン１７において実際に発生したエラーを記憶する。この様なエラー情報記憶部１０９に記憶されたエラー情報は、動作状況監視部１１１が検出したエラーに基づいて書き込まれる。
【００３６】
以下、図１１及び図１２を参照しながら印刷装置１０１の動作について詳細な説明を行う。
【００３７】
一連の処理が開始すると、ステップＳ３１において印刷装置１０１は、画像データを受信したか否かを判断し、画像データを受信した場合には、ステップＳ３２において印刷を行う。
【００３８】
次に、ステップＳ３３において印刷装置１０１は、エラーが発生したか否かを判断する。かかる処理は、動作状況監視部１１１が、プリントエンジン１７の状態を監視することで実行される。そして、エラーが発生していないと判断した場合には、印刷装置１０１は、再度ステップＳ３１の処理を実行する。
【００３９】
一方、エラーが発生したと判断した場合には、ステップＳ３４において印刷装置１０１は、発生したエラーの内容及びエラー一覧を参照して、復旧容易性が「難」であるか否かを判断する。そして、復旧容易性が「難」ではないと判断した場合は、発生したエラーが容易に復旧可能であるとして、印刷装置１０１は、ステップＳ３５以降の処理を実行する。
【００４０】
ステップＳ３５において印刷装置１０１は、特定のホスト装置５にエラーが発生した旨を通知する。このとき通知対象となるホスト装置５は、ホスト情報記憶部２９に記憶されたホスト装置５のうち、使用量が一定値以上のホスト装置である。そして、ステップＳ３６において印刷装置１０１は、エラーを通知してからの経過時間を計測すべく、タイマ３７をスタートさせる。
【００４１】
次に、ステップＳ３７において印刷装置１０１は、発生したエラーが解除されたか否かを判断する。かかる処理は、動作状況監視部１１１が、プリントエンジン１７の状態を監視することで実行される。そして、エラーが解除されたと判断された場合には、ステップＳ３８において印刷装置１０１は、タイマ３７をリセットする。その後、ステップＳ３９において印刷装置１０１は、未印刷の画像データがあるか否かを判断し、画像データがない場合にはステップＳ２１の処理を実行する。一方、未印刷の画像データがない場合には、ステップＳ２２の処理を実行する。
【００４２】
また、ステップＳ３７においてエラーが解除されていないと判断した場合には、ステップＳ４０において印刷装置１０１は、エラーを通知してから一定の時間が経過したか否かを判断する。そして、経過していないと判断した場合には、再度ステップＳ３７の処理を実行する。
【００４３】
エラーを通知してから一定の時間が経過したと判断した場合には、ステップＳ４１において印刷装置１０１は、画像データを画像データ記憶部１０７に記憶する。その後、ステップＳ４２において印刷装置１０１は、パワーセーブモードに移行する。そして、ステップＳ４３において印刷装置１０１は、パワーセーブモードに移行してからの経過時間を計測する為に、タイマ３７をリスタートさせる。
【００４４】
次に、ステップＳ４４において印刷装置１０１は、エラーが解除されたか否かを判断し、解除されている場合には、ステップＳ３８以降の処理を実行する。一方、エラーが解除されていない場合には、ステップＳ４５において印刷装置１０１は、パワーセーブモードに移行してから一定の時間が経過したか否かを判断する。そして、パワーセーブモードに移行してから一定の時間が経過していないと判断した場合には、印刷装置１０１は、再度ステップＳ４４の処理を実行する。
【００４５】
一方、パワーセーブモードに移行してから一定の時間が経過したと判断した場合には、ステップＳ４６において印刷装置１０１は、特定のホスト装置５に対して応答要求を送信する。そして、ステップＳ４７において印刷装置１０１は、応答要求に対する返信の有無を判断する。このとき、応答要求に対する返信があったと判断した場合には、印刷装置１０１は、再度ステップＳ４４以降の処理を実行する。
【００４６】
一方、応答要求に対する返信がないと判断した場合には、ステップＳ４８において印刷装置１０１は、発生したエラーの内容をエラー情報としてエラー情報記憶部１０９に記憶する。かかる処理は、動作状況監視部１１１が、発生したエラーの内容をエラー情報記憶部１０９に書き込むことで実行される。その後、ステップＳ４９において印刷装置１０１は、電源をオフし、一連の処理を終了する。
【００４７】
また、ステップＳ３４において復旧内容が「難」であると判断した場合には、ステップＳ５０において印刷装置１０１は、全てのホスト装置５に対してエラー情報を通知した後、パワーセーブモードに移行すべく、ステップＳ４１以降の処理を実行する。
【００４８】
そして、上述の一連の処理の後に印刷装置１０１の電源が投入されると、図１２に示す様に、ステップＳ５１において印刷装置１０１は、エラー情報がエラー情報記憶部１０９に記憶されているか否かを判断する。そしてエラー情報が記憶されている場合には、ステップＳ５２において印刷装置１０１は、エラー情報をユーザに表示する。そして、ステップＳ５３において印刷装置１０１は、エラーが解除されたと判断されるまでエラーの表示を継続する。その後、エラーが解除されたと判断した場合、又はステップＳ５１においてエラー情報がエラー情報記憶部１０９に記憶されていないと判断した場合に、ステップＳ５４において印刷装置１０１は、各部を起動する。そして、ステップＳ５５において印刷装置１０１は、印刷データの有無を判断し、印刷データがある場合には、ステップＳ５６において印刷処理を実行する。その後、印刷装置１０１は一連の処理を終了する。
【００４９】
この様に印刷装置１０１によれば、エラーの発生により印刷が停止し、さらに利用者がいない場合において、自身の電源をオフすることによって消費電力を低減させることができる。
【００５０】
尚、本発明は上述の実施の形態に限られるものではなく、印刷装置１，１０１の構成は本発明の趣旨を逸脱しない範囲で適宜変更することができる。
【００５１】
例えば、上述の実施の形態では、パワーセーブモードに移行する際に、プリントエンジン１７を構成する定着手段の温度を低下させることとしたが、印刷装置１，１０１をパワーセーブモードに移行させる処理は、印刷装置１，１０１をインターフェース部１３においてホスト装置５から送信された情報を受信可能な状態に移行させる処理であればどの様なものであってもよい。
【図面の簡単な説明】
【００５２】
【図１】本発明にかかる印刷システムのブロック図である。
【図２】同印刷システムが備える印刷装置のブロック図である。
【図３】同印刷装置が記憶する印刷ログの一例を示す図である。
【図４】同印刷装置が記憶するホスト装置毎の使用量の一例を示す図である。
【図５】同印刷装置が記憶する稼動時間の一例を示す図である。
【図６】同印刷装置の動作を示すフロー図である。
【図７】同印刷装置の動作を示すフロー図である。
【図８】同印刷装置の動作を示すフロー図である。
【図９】第２の実施の形態にかかる印刷装置のブロック図である。
【図１０】同印刷装置が記憶するエラー内容の一例を示す図である。
【図１１】同印刷装置の動作を示すフロー図である。
【図１２】同印刷装置の動作を示すフロー図である。
【図１３】同印刷装置の動作を示すフロー図である。
【符号の説明】
【００５３】
１    印刷装置
５    ホスト装置
７    印刷部
９    電力供給部
１５    画像処理部
１７    プリントエンジン
１９    エンジン制御部
２１    画像データ受信部
２３    応答要求送受信部
２７    印刷ログ記憶部
２９    ホスト情報記憶部
３１    スケジュール記憶部
３３    使用量算出部
３５    動作状況監視部
３７    タイマ
３９    電源制御部
１０１    印刷装置
１０３    記憶部
１０５    エラー一覧記憶部
１０７    画像データ記憶部
１０９    エラー情報記憶部
１１１    動作状況監視部
【図１】
0004550091.tif 000002
【図２】
0004550091.tif 000003
【図３】
0004550091.tif 000004
【図４】
0004550091.tif 000005
【図５】
0004550091.tif 000006
【図６】
0004550091.tif 000007
【図７】
0004550091.tif 000008
【図８】
0004550091.tif 000009
【図９】
0004550091.tif 000010
【図１０】
0004550091.tif 000011
【図１１】
0004550091.tif 000012
【図１２】
0004550091.tif 000013
【図１３】
0004550091.tif 000014